(57)【要約】【課題】集積光学ユニットの回転位置調整の精度を向上させ、作業効率、生産能力を高めることができる光ピックアップ装置及びこの光ピックアップ装置を用いた光ディスク装置を提供する。【解決手段】光ディスク４００の情報記録面にレーザ光を照射する少なくとも１つ以上の光源ユニット２０１、２０２と、この光源ユニット２０１、２０２の所定位置に突設されて電気信号を送受するための端子１１３、１１４と、この端子１１３、１１４と電気的に接続されるフレキシブル基板１３０と、光源ユニット２０１、２０２とフレキシブル基板１３０の間に配設され、光源ユニット２０１、２０２とフレキシブル基板１３０と当接されるとともに、端子１１３、１１４に挿入される切欠部１２６、１２７を備えた非導電性部材１２４とを具備することを特徴とする。【選択図】　　　図７
2004087057.tif 000002
【特許請求の範囲】
【請求項１】
ディスクの情報記録面にレーザ光を照射する少なくとも１つ以上の光源ユニットと、
この光源ユニットの所定位置に突設されて電気信号を送受するための端子と、
この端子と電気的に接続されるフレキシブル基板と、
前記光源ユニットと前記フレキシブル基板の間に配設され、前記端子に挿入される切欠部を備えた非導電性部材とを具備することを特徴とする光ピックアップ装置。
【請求項２】
前記非導電性部材は、周縁にＵ字型及びＬ字型の切欠部を有することを特徴とする請求項１記載の光ピックアップ装置。
【請求項３】
前記Ｌ字型の部分は前記非導電性部材の四隅に形成されることを特徴とする請求項２記載の光ピックアップ装置。
【請求項４】
ディスクの情報記録面にレーザ光を照射する少なくとも１つ以上の光源ユニットと、
この光源ユニットの所定位置に突設されて電気信号を送受するための端子と、
この端子と電気的に接続されるフレキシブル基板と、
このフレキシブル基板を介して送られる前記電気信号に基づいて、前記ディスクに記録された情報を再生する再生信号を生成するための信号処理部と、
前記光源ユニットと前記フレキシブル基板の間に配設され、前記端子に挿入される切欠部を備えた非導電性部材とを具備することを特徴とする光ディスク装置。
【請求項５】
前記非導電性部材は、周縁にＵ字型及びＬ字型の切欠部を有することを特徴とする請求項４記載の光ディスク装置。
【請求項６】
前記Ｌ字型の部分は前記非導電性部材の四隅に形成されることを特徴とする請求項５記載の光ディスク装置。
【発明の詳細な説明】
【０００１】
【発明の属する技術分野】
この発明は、ＣＤ（Ｃｏｍｐａｃｔ　Ｄｉｓｋ）、ＣＤ（Ｃｏｍｐａｃｔ　Ｄｉｓｋ）−Ｒ（Ｒｅｃｏｒｄａｂｌｅ）／ＲＷ（ＲｅＷｒｉｔａｂｌｅ）、ＤＶＤ（Ｄｉｇｉｔａｌ　Ｖｅｒｓａｔｉｌｅ　Ｄｉｓｋ）−ＲＯＭ（Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｋ）−ＲＡＭ（Ｒａｎｄｏｍ　Ａｃｃｅｓｓ　Ｍｅｍｏｒｙ）等の光ディスクに対して、情報を記録又は再生するための光ピックアップ装置及びこのような光ピックアップ装置を用いた光ディスク装置に関する。
【０００２】
【従来の技術】
周知のように、近年、記録媒体の分野においては、オーディオやデジタルデータを記録した従来のＣＤの直径（１２ｃｍ）と同じ大きさでありながら、高密度記録が可能なＤＶＤが開発されている。このＤＶＤは、その記録密度が高いために、ＣＤのデータを読み取る光の波長（例えば７８０ｎｍ）よりも短い波長（例えば６５０ｎｍ）のビームを必要とされる。
【０００３】
光ディスク装置としては、ＣＤ、ＤＶＤのいずれのディスクシステムも記録再生可能なものが望まれている。これにより、所定の波長の光ビーム（レーザビーム）をそれぞれ放射する発光素子（レーザ素子）を用いた光ピックアップ装置として、ＣＤ用の第１の光源（波長７８０ｎｍ）と、ＤＶＤ用の第２の光源（波長６５０ｎｍ）とを有するものが開発されている。このような２種類の異なる波長の光源を使用する光ピックアップ装置としては、特開平１０−１５４３４４に開示されている。
【０００４】
近年、このような光ピックアップ装置、またはこの光ピックアップ装置を用いた光ディスク装置に対して、小型化や高性能対応の要請が著しく高まってきている。
小型化では、光ピックアップ装置自体の小型化、それに伴う集積光学ユニット等の光学部品の小型化が叫ばれてきており、また高性能対応では、光ディスクに対して情報の記録／再生を行うための（光ピックアップ装置に設けられた）集積光学ユニットの回転位置調整を精度よく行うことが要求されてきている。例えば、集積光学ユニットのあおり角度が０．１度ずれてしまうだけで特性に大きく影響を与えてしまい、集積光学ユニットのあてつけを含め、回転、位置の調整精度が非常に高く要求されている。
【０００５】
また、集積光学ユニットの回転調整を行う際に、この集積光学ユニットとあてつけの部品を短絡させないような作業も要求されている。
【０００６】
【発明が解決しようとする課題】
このような光ピックアップ装置において、例えば光ピックアップ装置の小型化に伴って集積光学ユニットも小型化になると、集積光学ユニットの端子と端子の間（半田ランド間）が狭くなり、半田が端子間を跨ぐことによって信号不良を引き起こしてしまう問題がある。
【０００７】
また、一般的に集積光学ユニットをあてつけるために板金を使用するが、集積光学ユニットの小型化によって集積光学ユニットを回転位置調整する際に、この板金と集積光学ユニットの端子が接触する恐れがあり、接触した場合、集積光学ユニットの劣化を招くとともに端子間がショートしてしまうという問題がある。
【０００８】
また、板金と集積光学ユニットが接触しないよう注意しながらの作業は工数もかかり、生産能力の低下を招くという問題がある。
さらに、集積光学ユニットの端子に半田付け作業等を行う際は、集積光学ユニットに熱負荷がかかりやすいため、半田ごての熱、または半田の流れ込み等により集積光学ユニットの性能が低下してしまう問題がある。
【０００９】
本発明はこのような課題を解決するためのもので、集積光学ユニットの回転位置調整の精度を向上させ、作業効率、生産能力を高めることができる光ピックアップ装置及びこの光ピックアップ装置を用いた光ディスク装置を実現することを目的とする。
【００１０】
【課題を解決するための手段】
この発明は、上記の目的を達成するために、ディスクの情報記録面にレーザ光を照射する少なくとも１つ以上の光源ユニットと、この光源ユニットの所定位置に突設されて電気信号を送受するための端子と、この端子と電気的に接続されるフレキシブル基板と、前記光源ユニットと前記フレキシブル基板の間に配設され、前記端子に挿入される切欠部を備えた非導電性部材とを具備することを特徴とする。
【００１１】
上記の構成により、光源ユニット（集積光学ユニット）を回転位置調整した際に、集積光学ユニットにハウジングをあてつけるための板金が端子に接触することを防止することができる。また集積光学ユニットを回転位置調整する際に、板金と端子の接触を注意しながら調整する必要はなく、作業性、生産性の向上を図ることができる。さらに、端子に半田付けを行う際に、非導電性部材が断熱材の役割を担い、半田ごての熱や、半田の流れ込みにより集積光学ユニットの性能低下を防止することができる。
【００１２】
【発明の実施の形態】
以下、本発明を実施する場合の形態について図面に基づき説明する。
図１（ａ）、（ｂ）は、この実施の形態で説明する光ピックアップ装置の概念図であり、図１（ａ）は平面図、図１（ｂ）は側面図である。以下、この両方の図を参照しながら説明する。
【００１３】
すなわち、ハウジング１０１の一方の側壁１０２には、第１の集積光学ユニット２０１が取り付けられている。この第１の集積光学ユニット２０１は、波長７８０ｎｍのレーザ光を出射するＣＤ用の光源（第２の光源）である。
【００１４】
そして、この第１の集積光学ユニット２０１内には、ディスク４００からの反射光がホログラム３０１により回折されて照射され、再生信号、フォーカシングエラー信号及びトラッキングエラー信号を得るために光電変換を行なう光検出器２０が設けられている。
【００１５】
また、光学ベース１０１の他方の側壁１０３には、第２の集積光学ユニット２０２が取り付けられている。この第２の集積光学ユニット２０２は、波長６５０ｎｍのレーザビームを出射するＤＶＤ用の光源（第１の光源）である。
【００１６】
このように、光ピックアップ装置は、第１の光源（ＣＤ用）と、第２の光源（ＤＶＤ用）とを有する。第１の集積光学ユニット２０１から出射されたレーザ光は、光学ベースであるハウジング１０１の平面１０４上で、その平面１０４にほぼ平行な方向に放射され、ホログラム３０１を介してダイクロイックＰＢＳ３０２に入射する。
【００１７】
第１の集積光学ユニット２０１からのレーザ光は、ダイクロイックＰＢＳ３０２を直進した後、コリメータレンズ３０３を通り、反射ミラー（プリズム）３０６に入射する。
【００１８】
この反射ミラー３０６で反射された光は、反射ミラー３０６の上部に配置された対物レンズ３０７に入射する。この対物レンズ３０７で合焦された光は、対物レンズ３０７の上部に位置する光ディスク４００の反射層（情報記録面）に照射される。
【００１９】
この光ディスク４００の情報記録面で反射された光は、対物レンズ３０７及び反射ミラー３０６を介して、ダイクロイックＰＢＳ３０２に入射する。
このダイクロイックＰＢＳ３０２に入射した反射光は、直進し、ホログラム３０１により回折されて、第１の集積光学ユニット２０１内の光検出器２０に入射され、前述した再生信号、フォーカシングエラー信号及びトラッキングエラー信号の生成に供される。
【００２０】
また、第２の集積光学ユニット２０２から出射されたレーザ光は、ハウジング１０１の平面１０４上で、その平面１０４にほぼ平行な方向に放射され、ホログラム３１１を介してダイクロイックＰＢＳ３０２に入射する。
【００２１】
第２の集積光学ユニット２０２からのレーザ光は、ダイクロイックＰＢＳ３０２の内部で反射されて方向変換され、コリメータレンズ３０３に入射する。コリメータレンズ３０３に入射したレーザ光は、反射ミラー（プリズム）３０６に入射する。
【００２２】
この反射ミラー３０６で反射された光は、反射ミラー３０６の上部に配置された対物レンズ３０７に入射する。この対物レンズ３０７で合焦された光は、対物レンズ３０７の上部に位置する光ディスク４００の反射層（情報記録面）に照射される。
【００２３】
この光ディスク４００の情報記録面で反射された光は、対物レンズ３０７及び反射ミラー３０６を介して、ダイクロイックＰＢＳ３０２に入射する。
このダイクロイックＰＢＳ３０２に入射した反射光は、反射し、ホログラム３１１により回折されて、第２の集積光学ユニット２０２内の光検出器２１に入射され、前述した再生信号、フォーカシングエラー信号及びトラッキングエラー信号の生成に供される。
【００２４】
また、対物レンズ３０７は、図示しないレンズホルダによって保持されている。レンズホルダは、複数本のワイヤの一端部で支持されており、フォーカス方向及びトラッキング方向に微動制御可能である。複数本のワイヤは、光学ベース１０１に取り付けられるワイヤホルダによって保持されている。
【００２５】
また、レンズホルダには、例えば、小型のフォーカシング制御用永久磁石及びトラッキング制御用永久磁石が取り付けられている。これらの永久磁石に近接して、光学ベースには、フォーカシング制御用ヨークコイル及びトラッキング制御用ヨークコイルが配置されている。そして、これらのフォーカシング制御用ヨークコイル及びトラッキング制御用ヨークコイルに、それぞれフォーカシング制御信号及びトラッキング制御信号を供給することにより、対物レンズ３０７をフォーカス制御方向及びトラッキング制御方向にそれぞれ微動制御することができる。
【００２６】
次に、上述した光ピックアップ装置を用いた光ディスク装置の構成を説明する。
図２において、ＤＴは、記憶媒体としての前記光ディスク４００を保持するディスクテーブルである。このディスクテーブルＤＴは、サーボ回路により制御されるディスクモータにより回転駆動される。
【００２７】
符号１００は光ピックアップ装置であり、図１で説明したように、ディスクテーブルＤＴに保持されて所定の速度で回転される光ディスク４００の情報記録面にレーザビームを照射するとともに、光ディスク４００の情報記録面で反射された反射レーザビームを取り込んで、その反射レーザビームの光強度に対応する電気信号を出力する。
【００２８】
光ピックアップ装置１００は、ディスクテーブルＤＴに対して所定の位置関係に設けられたガイドレール６００に沿って、光ディスク４００の情報記録面に形成されたトラックの接線方向と直交する方向（光ディスク４００の半径方向すなわちトラッキング制御方向）に移動可能である。光ピックアップ装置１００は、リニアモータによりガイドレール６００上を往復移動される。
【００２９】
光ピックアップ装置１００の第１の集積光学ユニット２０１に内蔵され、光ディスク４００からの反射光を受光する光検出器２０の出力信号は、信号処理回路７０１、トラッキング制御回路７０２及びフォーカシング制御回路７０３に導かれる。信号処理回路７０１は、光ディスク４００に記録されている情報を再生するための演算処理を実行する。
【００３０】
また、トラッキング制御回路７０２は、光ディスク４００から得られた信号を演算処理してトラッキングエラー信号を生成し、前記トラッキング制御用ヨークコイルに供給するトラッキング制御信号を生成している。フォーカシング制御回路７０３は、光ディスク４００から得られた信号を演算処理してフォーカシングエラー信号を生成し、前記フォーカシング制御用ヨークコイルに供給するフォーカシング制御信号を生成している。
【００３１】
レーザ駆動回路７０５は、図示しないＡＰＣ（ａｕｔｏｍａｔｉｃ　ｐｏｗｅｒ　ｃｏｎｔｒｏｌ）回路からの制御信号に応じて、第１の集積光学ユニット２０１及び第２の集積光学ユニット２０２のレーザ光のパワーを制御する。なお、上記ＡＰＣ回路は、入力された検出信号が予め設定しているレベルの信号であるかどうかを判別し、その判別結果に基づいて得られた制御信号をレーザ駆動回路７０５に供給している。これにより、出力レーザ光のパワーあるいは光ディスク４００からの反射光の光量が予め設定している規格上の範囲内に納まるように自動制御されることになる。
【００３２】
上記第１及び第２の集積光学ユニット２０１，２０２では、それぞれ、所定の波長の光ビーム（レーザビーム）を放射するレーザ素子が用いられている。また、対物レンズ３０７は、前記レンズホルダにより、トラックの接線方向と直交する方向（光ディスク４００の半径方向）及びレーザビームの通過方向（光ディスク４００の情報記録面と直交する方向）のそれぞれに移動可能に支持されている。
【００３３】
光ディスク４００の半径方向は、トラッキング制御方向と呼ばれる。光ディスク４００の情報記録面と直交する方向は、フォーカシング制御方向と呼ばれる。トラッキング制御回路７０２は、トラッキングエラー信号からトラッキング制御信号を生成して、前記トラッキング制御用ヨークコイルに供給する。また、フォーカシング制御回路７０３は、フォーカシングエラー信号からフォーカシング制御信号を生成して、前記フォーカシング制御用ヨークコイルに供給する。
【００３４】
全体の回路の動作タイミングや、動作条件（パラメータ等）の切替制御は、システム制御部７１０からの制御信号により設定される。また、この光ディスク装置には、電源装置、装置自体を動作させる際に読み出されるプログラムが記憶されているＲＯＭ（Ｒｅａｄ　Ｏｎｌｙ　Ｍｅｍｏｒｙ）、光ディスク４００から読み出されたデータまたはホストコンピュータ等から入力されるデータならびに制御データ等を一時的に記憶するＲＡＭ［Ｒａｎｄｏｍ　Ａｃｃｅｓｓ　Ｍｅｍｏｒｙ（作業メモリ）］等が設けられている。
【００３５】
上記の説明では、光ディスク４００からの情報再生時の動作について説明したが、この発明の装置は、ＲＡＭディスクに対する情報記録に対して適用できることはもちろんである。このときは、レーザ駆動回路７０５は、記録情報に応じて変調制御されるとともに、ＡＰＣ回路によりレーザ光の平均的なパワーが記録レベルに達するように制御される。
【００３６】
次に、上述した光ピックアップ装置における第２の集積光学ユニット（ＤＶＤ用）とハウジングとの配置構造について、図３及び図４を用いて説明する。図３は、光ピックアップ装置の構造を示す斜視図であり、図４は図３の丸で囲まれた部分の拡大斜視図を示している。
【００３７】
図３に示される光ピックアップ装置において、ハウジング１０１内に第１の集積光学ユニット２０１、第２の集積光学ユニット２０２及び対物レンズ３０７等の光学部品が内設され、このハウジング１０１を部分的に覆うように板ばね１１０が形成されている。第１の集積光学ユニット２０１及び第２の集積光学ユニット２０２内に設けられた光検出器２０、２１は光ディスク４００で反射された反射光を受光して電気信号に変換して、図２で示した信号処理回路７０１、トラッキング制御回路７０２、フォーカシング制御回路７０３やレーザ駆動回路７０５に出力するようになっている。
【００３８】
図４に示される第２の集積光学ユニット２０２は、導電性部材である板金１１５によってハウジング１０１にあてつけられ、角度、位置などを調整して正確に保持されている。
【００３９】
第２の集積光学ユニット２０２をハウジング１０１にあてつける板金１１５については、図５及び図６を用いてもう少し詳細に説明する。図５は、第２の集積光学ユニットとこの第２の集積光学ユニットを押さえる板金を示す斜視図であり、図６は図５の裏側から見た斜視図である。この板金１１５は、第２の集積光学ユニット２０２とハウジング１０１を密着させるためのもので、コの字状に形成されている。このコの字状に形成された板金１１５の一端部Ａは、ハウジング１０１の外周部に備えられた突起１１６と係合され、図６に示すようにハウジング１０１の裏側を通るようになっている。そして、ハウジング１０１の裏側を通った板金１１５の他端部Ｂは、さらに２つに枝分かれされた形状で、第２の集積光学ユニット２０２に設けられたヒートシンク１２０を挟み込むようにしている。
すなわち、他端部Ｂは第２の集積光学ユニット２０２のヒートシンクの図中下側を通って挟み込み、ハウジング１０１と第２の集積光学ユニット２０２とを密着させている。この第２の集積光学ユニット２０２をハウジング１０１にあてつける作業をする際に、第２の集積光学ユニット２０２の回転位置調整を行う必要がある。この回転位置調整は図５の矢印で示す方向に、すなわち、他端部Ｂで挟み込まれたヒートシンク１２０の軸を中心に回転される。
【００４０】
図７は、本発明に係る第２の集積光学ユニットの端子間に非導電性部材を挿入した場合を示す図である。
図７に示すように、第２の集積光学ユニット２０２は実際にレーザ光を照射するレーザチップや光検出器２１を有している。この光検出器２１は前述したように受光した反射光を電気信号に変換して、平面１２２上から突出した端子１１３（８本）、１１４（８本）を介して、上記信号処理回路７０１、トラッキング制御回路７０２やフォーカス制御回路７０３に出力するものである。平面１２２上から突出した端子１１３と端子１１４との間には、集積光学ユニット２０２で発生する熱を冷やすためのヒートシンク１２０が設けられている。
【００４１】
本発明に係る非導電性部材１２４は、第２の集積光学ユニット２０２の端子１１３、１１４の間にそれぞれ挿入される。この非導電性部材１２４は、周縁に端子１１３、１１４のそれぞれの端子を挿入させるための切欠部１２６、１２７が形成されており、この切欠部１２６、１２７は端子１１３、１１４がある部分を逃がすように形成される。すなわち、この切欠部１２６、１２７は孔ではなくＵ字型の形状とＬ字型の形状で形成され、Ｕ字型の部分では一方側が開放されており、またＬ字型の部分では非導電性部材１２４の四隅の部分（言い換えれば、端子１１３、１１４の四隅の部分）で開放されている。これにより、作業者は非導電性部材１２４の切欠部１２６、１２７の少なくとも１箇所を端子１１３、１１４に位置決めすることで、この非導電性部材１２４を端子１１３、１１４に簡単に挿入させることができる。例えば、切欠部１２６、１２７が端子を挿入させる挿入孔であった場合は、非導電性部材１２４そのものが大きくなってしまい、第２の集積光学ユニット２０２の回転位置調整がスムーズに行えない等の問題がある。そこで、ここでは切欠部１２６、１２７を孔形状にせず、Ｕ字型、Ｌ字型の形状にして第２の集積光学ユニット２０２の回転位置調整をスムーズにさせて、また非導電性部材１２４自体の材料を少なくすることができる。
【００４２】
また、端子１１３、１１４のそれぞれに挿入された非導電性部材１２４によって、回転位置調整を行った際に板金１１５と端子１１３、１１４とが接触し、短絡することを防止することができる。図５に示すように、第２の集積光学ユニット２０２が矢印方向に回転位置調整されると、この第２の集積光学ユニット２０２の端子１１３又は１１４と板金１１５の他端部Ｂとが接触されず、非導電性部材１２４と板金１１５とが接触するようになる。なお、ここでは第２の集積光学ユニット（ＤＶＤ用）について説明してきたが、当然第１の集積光学ユニット（ＣＤ用）でも同様の効果を有する。また、非導電性部材１２４を端子１１３側、或いは端子１１４側のどちからか一方、例えば短絡する可能性のある個所に挿入してもよい。
【００４３】
図８は、第２の集積光学ユニットにフレキシブル基板が取り付けられた例を示す図である。図８に示すように、非導電性部材１２４の上側に端子１１３、１１４を介して挿入されたフレキシブル基板１３０が備えられている。このフレキシブル基板１３０は、端子１１３、１１４を挿入させる挿入口が設けられ、作業者はこのフレキシブル基板１３０を端子１１３、１１４に挿入させた後、挿入口付近にそれぞれ半田付けを行う。なお、半田付けを行う際に、非導電性部材１２４は所定の厚みを持っており、この厚みが断熱材の代わりとなって熱による部品不良を防ぐことができる。
【００４４】
上記した実施の形態によれば、非導電性部材１２４を端子間に挿入することにより、板金１１５と端子１１３、１１４との接触を防ぎ、短絡を防止することができる。また、非導電性部材の厚みによって半田ごての熱による部品不良を防ぐことができる。よって、作業者は集積光学ユニットを回転位置調整する際に、板金１１５と端子１１３、１１４の接触を注意しながら調整する必要はなく、作業性、生産性の向上を図るものである。さらに、非導電性部材１２４を挿入部分を介して簡単に端子間に挿入させることができるため、これについても作業性の向上を図ることができる。
【００４５】
なお、本発明は、上記実施形態に限定されるものではなく、実施段階では、その要旨を逸脱しない範囲で種々に変形することが可能である。
【００４６】
【発明の効果】
以上のように、光ピックアップ装置において、非導電性部を集積光学ユニットの端子間に挿入することで、短絡及び熱による部品不良を防止することができる。また、板金と端子の接触の心配もすることなく、非導電性部材の取り付けも挿入部分を介するだけで容易であり、作業効率が格段にあげることができる。
【００４７】
さらに、端子に半田付けを行う際に非導電性部材が断熱材の役割を担い、半田ごての熱や、半田の流れ込みにより、集積光学ユニットの性能低下を防止することができる。
【図面の簡単な説明】
【図１】本発明に係る一実施形態の光ピックアップ装置の概念図である。
【図２】光ピックアップ装置を用いた光ディスク装置の構成図である。
【図３】光ピックアップ装置の斜視図である。
【図４】図３の丸で囲まれた部分の拡大斜視図である。
【図５】第２の集積光学ユニットとこの第２の集積光学ユニットを押さえる板金を示す斜視図である。
【図６】図５の裏側から見た斜視図である。
【図７】本発明に係る第２の集積光学ユニットの端子間に非導電性部材を挿入した場合を示す図である。
【図８】第２の集積光学ユニットにフレキシブル基板が取り付けられた例を示す図である。
【符号の説明】
２０、２１　　光検出器
１０１　　ハウジング
１１０　　板ばね
１１３、１１４　　端子
１１５　　板金
１１６　　突起
１２０　　ヒートシンク
１２４　　非導電性部材
１２６、１２７　　切欠部
１３２、１３３　　半田
２０１　　第１の集積光学ユニット
２０２　　第２の集積光学ユニット
３０１、３１１　　ホログラム
３０２　　ダイクロイックＰＢＳ
３０３　　コリメータレンズ
３０６　　反射ミラー
３０７　　対物レンズ
４００　　光ディスク
【図１】
2004087057.tif 000003
【図２】
2004087057.tif 000004
【図３】
2004087057.tif 000005
【図４】
2004087057.tif 000006
【図５】
2004087057.tif 000007
【図６】
2004087057.tif 000008
【図７】
2004087057.tif 000009
【図８】
2004087057.tif 000010